(57)【要約】【課題】プルーフ画像のうちの特色の画像部分が、どのように再現されたのかを容易に判別することができる画像処理装置を提供することを目的とする。【解決手段】プルーフ画像を出力する出力デバイスにおける印刷画像の再現方式のうち、特色の再現方式を記述した付加画像を表す付加画像データを生成して、プルーフ画像を表すプルーフ画像データおよび付加画像データを出力デバイスへ向けて出力する。出力デバイスで出力された付加画像を確認することで、プルーフ画像の特色の再現方法を識別することができる。【選択図】　　　　図９
2004074498.tif 000002
【特許請求の範囲】
【請求項１】
プロセス色で構成されたプロセス色版画像と、特色で構成された特色版画像とが重ね合わされてなる印刷画像を印刷して得たときの該印刷画像を再現したプルーフ画像を出力デバイスを用いて出力する際の、該プルーフ画像を表す該出力デバイス用のプルーフ画像データを、前記印刷画像を表す印刷画像データを処理して生成する画像処理装置において、
前記印刷画像データとして、前記プロセス色版画像を表す第１の画像データ部分と、前記特色版画像を表す第２の画像データ部分とを有する印刷画像データを取得する画像データ取得部と、
前記画像データ取得部で取得された印刷画像データを、前記出力デバイスにおける印刷画像の再現方式を前提として処理して前記プルーフ画像データに変換する画像データ変換部と、
前記画像データ変換部が前記第２の画像データ部分を処理したときに前提とした、前記出力デバイスにおける特色の再現方式を記述した付加画像を表した、前記出力デバイス用の付加画像データを生成する付加画像データ生成部と、
前記画像データ変換部で変換されたプルーフ画像データと、前記付加画像データ生成部で生成された付加画像データとを前記出力デバイスに向けて出力することにより、該出力デバイスに前記プルーフ画像と前記付加画像とを出力させる画像データ出力部とを備えたことを特徴とする画像処理装置。
【請求項２】
前記付加画像データ生成部が、前記出力デバイスが特色を再現する際に用いるインクの種類を記述した付加画像を表した付加画像データを生成するものであることを特徴とする請求項１記載の画像処理装置。
【請求項３】
前記付加画像データ生成部が、特色の再現方式の記述に、その特色の色票を対応付けた付加画像を表した付加画像データを生成するものであることを特徴とする請求項１記載の画像処理装置。
【請求項４】
前記出力デバイスが、特色を、特定の網点パターンを用いてプロセス色のインクを重ね合わせることによって再現するものであり、
前記付加画像データ生成部が、前記網点パターンの種類を記述した付加画像を表した付加画像データを生成するものであることを特徴とする請求項１記載の画像処理装置。
【請求項５】
コンピュータ内で実行され、該コンピュータによって、プロセス色で構成されたプロセス色版画像と、特色で構成された特色版画像とが重ね合わされてなる印刷画像を印刷して得たときの該印刷画像を再現したプルーフ画像を出力デバイスを用いて出力する際の、該プルーフ画像を表す該出力デバイス用のプルーフ画像データを、前記印刷画像を表す印刷画像データを処理して生成する画像処理プログラムにおいて、
前記印刷画像データとして、前記プロセス色版画像を表す第１の画像データ部分と、前記特色版画像を表す第２の画像データ部分とを有する印刷画像データを取得する画像データ取得部と、
前記画像データ取得部で取得された印刷画像データを、前記出力デバイスにおける印刷画像の再現方式を前提として処理して前記プルーフ画像データに変換する画像データ変換部と、
前記画像データ変換部が前記第２の画像データ部分を処理したときに前提とした、前記出力デバイスにおける特色の再現方式を記述した付加画像を表した、前記出力デバイス用の付加画像データを生成する付加画像データ生成部と、
前記画像データ変換部で変換されたプルーフ画像データと、前記付加画像データ生成部で生成された付加画像データとを前記出力デバイスに向けて出力することにより、該出力デバイスに前記プルーフ画像と前記付加画像とを出力させる画像データ出力部とを備えたことを特徴とする画像処理プログラム。
【発明の詳細な説明】
【０００１】
【発明の属する技術分野】
本発明は、特色を含む画像をカラー印刷機で印刷するにあたり、印刷に先立って行われる色校正に用いられるプルーフ画像を作成する画像処理装置、およびコンピュータ内で実行されることにより、そのコンピュータをそのような画像処理装置として動作させる画像処理プログラムに関する。
【０００２】
【従来の技術】
従来、カラー印刷機を用いた印刷では、Ｃ（シアン）、Ｍ（マゼンタ）、Ｙ（イエロー）、Ｋ（黒）４色のプロセスインクが使用され、それらのプロセスインクが重ね合わされることによって全ての色が表現されている。しかし、例えば、プロセスインクの組み合わせでは表現しにくい色や、頻繁に使用される色などについては、「特色」としてその色をそのまま表現するように特別に調整されたインク（以下、この特色用のインクを特色インクと称する）が用いられることがある。この特色インクを使って印刷されたカラー画像は、ＣＭＹＫ４色の各プロセスインクで刷られたプロセス色版画像に加えて、特色インクで刷られた特色版画像が重ね合わさって形成されている。
【０００３】
ところで、カラー印刷機を用いた印刷は、フィルム原版を作成し、さらに刷版を作成するなど大がかりなうえコストがかかる作業である。したがって、従来より、印刷を行う前には、カラー印刷機に比べて手軽なプリンタ等を用いて、そのカラー印刷機で印刷されるカラー画像の色と極力同じ色に似せたプルーフ画像を作成し、そのプルーフ画像を使ってカラー画像の色やレイアウトを確認することが行われている。
【０００４】
ここで、特色を含むカラー画像を印刷する前に作成されるプルーフ画像について説明する。
【０００５】
例えば、プルーフ画像を出力するプリンタ等の出力デバイスでも特色インクを使用できる場合、特色の画像部分は特色インクで、特色以外の画像部分はプロセスインクで構成されたプルーフ画像が作成される。
【０００６】
また、プルーフ画像を出力する出力デバイスには、特色インクを使用できないものも多く、そのような出力デバイスでは、従来より、特色の画像部分はプロセス色成分に色分解されて、特色以外の画像部分といっしょにプロセスインクで構成されたプルーフ画像が作成される（例えば、特許文献１参照。）。
【０００７】
（特許文献１）
特開２００１−１５７０７４号公報（第１０頁、第９図）
【０００８】
【発明が解決しようとする課題】
上記のプロセスインクおよび特色インクを用いて作成されたプルーフ画像でも、プロセスインクのみで作成されたプルーフ画像の色でも、印刷のカラー画像の色と同じ色が再現されることが理想であるが、実際には、特に特色については、常に一致するとは言い難い。また、例えば、網点パターンを用いてインクを重ね合わせるプリンタでは、その網点パターンの種類によっても、プルーフ画像の色が微妙に異なってしまうことがある。このように、印刷のカラー画像を再現したプルーフ画像であっても、その再現方法によっては、特に特色が、人の目にも認識できるほどに異なった色に再現されてしまうことがある。このような場合には、プルーフ画像の本来の利用目的である、印刷のカラー画像の色校正が困難となる。プルーフ画像の色に不満足であっても、その色が正しく印刷の色を反映した色か否かを判別できないからである。
【０００９】
以上のようなことから、プルーフ画像を用いて、カラー印刷機で印刷されるカラー画像の色を確認する際には、プルーフ画像において特色がどのように再現されたのかを認識していることが好ましい。しかし、プルーフ画像をみても、例えば、そのプルーフ画像は特色インクが用いられて作成されたのか、特色インクは用いられずにプロセスインクの組み合わせによって作成されたものなのかというようなことが、容易には判別できないという問題がある。
【００１０】
本発明は、上記事情に鑑み、プルーフ画像のうちの特色の画像部分が、どのように作成されたのかを容易に判別することができる画像処理装置に関する。
【００１１】
【課題を解決するための手段】
上記目的を達成する本発明の画像処理装置は、プロセス色で構成されたプロセス色版画像と、特色で構成された特色版画像とが重ね合わされてなる印刷画像を印刷して得たときの該印刷画像を再現したプルーフ画像を出力デバイスを用いて出力する際の、該プルーフ画像を表す該出力デバイス用のプルーフ画像データを、印刷画像を表す印刷画像データを処理して生成する画像処理装置において、
印刷画像データとして、プロセス色版画像を表す第１の画像データ部分と、特色版画像を表す第２の画像データ部分とを有する印刷画像データを取得する画像データ取得部と、
画像データ取得部で取得された印刷画像データを、出力デバイスにおける印刷画像の再現方式を前提として処理してプルーフ画像データに変換する画像データ変換部と、
画像データ変換部が第２の画像データ部分を処理したときに前提とした、出力デバイスにおける特色の再現方式を記述した付加画像を表した、出力デバイス用の付加画像データを生成する付加画像データ生成部と、
画像データ変換部で変換されたプルーフ画像データと、付加画像データ生成部で生成された付加画像データとを前記出力デバイスに向けて出力することにより、出力デバイスにプルーフ画像と付加画像とを出力させる画像データ出力部とを備えたことを特徴とする。
【００１２】
本発明の画像処理装置は、出力デバイスにおける特色の再現方式を記述した付加画像を出力デバイスから出力させる。この付加画像を確認することにより、プルーフ画像において特色がどのように再現されたのかを容易に判別することができ、例えば、プルーフ画像の色が不満足な色である場合に、元々の印刷のカラー画像が原因であるのか否かを判別して正しく色校正を行うことができる。
【００１３】
また、本発明の画像処理装置において、上記の付加画像データ生成部が、出力デバイスが特色を再現する際に用いるインクの種類を記述した付加画像を表した付加画像データを生成するものであることが好ましい。
【００１４】
通常、プロセスインクを組み合わせて再現された特色よりも、特色インクを用いて再現された特色のほうが、実際に印刷される印刷画像の特色により近い色であることが多い。例えば、プルーフ画像の特色で構成された画像部分が特色インクで再現されたのか、あるいはプロセスインクで再現されたのかというようなことが記述された付加画像を確認することによって、実際に印刷される印刷画像の特色がプルーフ画像で再現された特色と、どの程度異なるのかを判別することができる。
【００１５】
また、本発明の画像処理装置において、上記の付加画像データ生成部が、特色の再現方式の記述に、その特色の色票を対応付けた付加画像を表した付加画像データを生成するものであることが好適である。
【００１６】
上述した好適な画像処理装置は、各特色ごとに色票とその特色の再現方式とが対応付けられた付加画像を出力デバイスから出力させる。このような付加画像を確認することにより、複数の特色が異なる方式で再現されたプルーフ画像においても、容易に特色ごとの再現方式を判別することができる。
【００１７】
また、本発明の画像処理装置において、上記の付加画像データ生成部が、特色の再現方式に対応付けて、その特色の名称を記述した付加画像を表した付加画像データを生成するものであってもよい。
【００１８】
特色の名称を参照することによって、本来再現されるべき色を認識することができる。
【００１９】
さらに、本発明の画像処理装置において、出力デバイスが、特色を、特定の網点パターンを用いてプロセス色のインクを重ね合わせることによって再現するものであり、
上記付加画像データ生成部が、網点パターンの種類を記述した付加画像を表した付加画像データを生成するものであってもよい。
【００２０】
網点パターンを用いてプロセスインクを重ね合わせる方式によって再現された特色は、その網点パターンの種類によって、色が微妙に異なってしまう恐れがある。したがって、その網点パターンの種類が記述された付加画像を確認することによって、プルーフ画像において再現された特色の特徴をいっそう明確に判別することができる。
【００２１】
また、本発明の画像処理プログラムは、コンピュータ内で実行され、コンピュータによって、プロセス色で構成されたプロセス色版画像と、特色で構成された特色版画像とが重ね合わされてなる印刷画像を印刷して得たときの該印刷画像を再現したプルーフ画像を出力デバイスを用いて出力する際の、プルーフ画像を表す出力デバイス用のプルーフ画像データを、印刷画像を表す印刷画像データを処理して生成する画像処理プログラムにおいて、
印刷画像データとして、プロセス色版画像を表す第１の画像データ部分と、特色版画像を表す第２の画像データ部分とを有する印刷画像データを取得する画像データ取得部と、
画像データ取得部で取得された印刷画像データを、出力デバイスにおける印刷画像の再現方式を前提として処理してプルーフ画像データに変換する画像データ変換部と、
画像データ変換部が第２の画像データ部分を処理したときに前提とした、出力デバイスにおける特色の再現方式を記述した付加画像を表した、出力デバイス用の付加画像データを生成する付加画像データ生成部と、
画像データ変換部で変換されたプルーフ画像データと、付加画像データ生成部で生成された付加画像データとを出力デバイスに向けて出力することにより、出力デバイスにプルーフ画像と付加画像とを出力させる画像データ出力部とを備えたことを特徴とする。
【００２２】
本発明の画像処理プログラムをコンピュータ内で実行させることによって、そのコンピュータを上記のような画像処理装置として動作させることができる。
【００２３】
尚、本発明の画像処理プログラムには、本発明の画像処理装置の各種態様に対応する各種態様全てが含まれる。
【００２４】
【発明の実施の形態】
以下、本発明の実施形態について説明する。
【００２５】
図１は、本発明の一実施形態が適用された画像処理システムの全体構成図である。
【００２６】
カラースキャナ１０では、原稿画像が読み取られて、その読み取られた原稿画像を表すＣＭＹＫ４色の色分解画像データが生成される。この色分解画像データは、ワークステーション２０に入力される。ワークステーション２０では、オペレータにより、入力された色分解画像データに基づく電子的な集版が行われ、印刷用の画像を表す印刷画像データが生成される。ここでは、ワークステーション２０を操作するオペレータによって、ＣＭＹＫ４色のプロセスインクのみでなく、ある特色インクを使用した印刷を行うことが決定され、電子集版では、その特色を含めた画像がデザインされる。その結果、ここでは、その印刷用の画像を表す印刷画像データとして、プロセスインクで刷られるプロセス色版画像を表すプロセス色版画像データ部分と、特色インクで刷られる特色版画像を表す特色版画像データ部分とからなる印刷画像データが生成される。このプロセス色版画像データ部分はＣＭＹＫ４色のプロセス色成分を表す４次元の画像データ部分である。また、特色版画像データ部分は特色成分を表す１次元の画像データ部分であり、印刷に用いられる特色インクの数だけ存在する。プロセス色版画像データ部分および特色版画像データ部分は別名を付されており、特色版画像データ部分の名称には特色名が含まれている。これらプロセス色版画像データ部分と特色版画像データ部分とからなる印刷画像データは、印刷を行う場合はフィルムプリンタ３０に入力され、フィルムプリンタ３０では、その入力された印刷画像データに対応した、ＣＭＹＫ各版と特色用の版とからなる印刷用フィルム原版が作成される。
【００２７】
この印刷用フィルム原版からは刷版が作成され、その作成された刷版が印刷機４０に装着される。この印刷機４０に装着された刷版にはインクが塗布され、その塗布されたインクが印刷用の用紙上に転写されて、その用紙上に印刷画像４１が形成される。通常、印刷画像は、ＣＭＹＫ４色の各プロセスインクの組み合わせで構成されたプロセス色版画像、および特色インクで構成された特色版画像が重ねあわされて形成され、印刷画像のうちのインクが重なった画像部分は混合色を有するが、説明の便宜上、以下では、特色インク同士、あるいは特色インクとプロセスインクとが交じり合った混合色を有する画像部分は存在しない印刷画像４１を用いて説明する。この印刷画像４１は、プロセス色の混合色を有するプロセス色部分４１ａと、赤の特色インクのみの色を有する赤特色部分４１ｂと、緑の特色インクのみの色を有する緑特色部分４１ｃとで構成されている。このプロセス色版画像は、本発明にいうプロセス色版画像の一例にあたり、赤特色版画像および緑特色版画像は、本発明にいう特色版画像の一例にあたる。さらに、印刷画像４１は、本発明にいう印刷画像の一例に相当する。
【００２８】
印刷画像４１を印刷するための作業は、フィルムプリンタ３０によりフィルム原版を作成し、さらに刷版を作成して印刷機４０に装着し、その刷版にインクを塗布して用紙上に印刷を行う一連の大掛かりな作業であり、コストもかかる。このため、実際の印刷作業を行う前に、以下のようにしてプルーフ画像６１を作成し、印刷画像４１の仕上がりの事前確認が行われる。
【００２９】
プルーフ画像６１を作成するにあたっては、ワークステーション２０上の電子集版により作成された印刷画像データがパーソナルコンピュータ５０に入力される。ここで、このパーソナルコンピュータ５０に入力される印刷画像データは、いわゆるＰＤＬ（Ｐａｇｅ　Ｄｅｓｃｒｉｐｔｉｏｎ　Ｌａｎｇｕａｇｅ）で記述された記述言語データであり、パーソナルコンピュータ５０では、いわゆるＲＩＰ（Ｒａｓｔｅｒ　Ｉｍａｇｅ　Ｐｒｏｃｅｓｓｏｒ）により、ビットマップに展開された印刷画像データに変換される。この印刷画像データは、実質的には、フィルムプリンタ３０に入力される印刷画像データと同一である。
【００３０】
この印刷画像データは、このパーソナルコンピュータ５０で複数台のプリンタ６０ａ、プリンタ６０ｂ、…、プリンタ６０ｎのうちのプルーフ画像を出力しようとしているプリンタ（ここでは、プリンタ６０ａとする）に適合したプルーフ画像データに変換される。
【００３１】
ここで、パーソナルコンピュータ５０で印刷画像データをプリンタ６０ａに適合したプルーフ画像データに変換する際の、代表的なデータ変換方法について説明する。
【００３２】
まず、第１のデータ変換方法について説明する。この第１のデータ変換方法は、プリンタ６０ａが特色インクに対応していない、あるいは特色インクが切れているなどの理由でプリンタ６０ａが特色インクを使用することができず、さらに、プリンタ６０ａが、１種類の網点パターンによってインクを重ね合わせる、あるいは網点パターンを使わずにインクを重ね合わせるプリンタである場合に用いられる方法である。
【００３３】
第１のデータ変換方法によると、上述したようにプロセス色版画像データ部分と特色版画像データ部分とで構成された印刷画像データが、プリンタ６０ａ用のプロセス色成分のみを表すプルーフ画像データに変換される。
【００３４】
図２は、上記の第１のデータ変換方法を示す図である。ここには、プロセス色変換過程１０１、特色参照過程１０２、階調演算過程１０３、および加算部１０４が示されている。
【００３５】
図１に示すパーソナルコンピュータ５０には、印刷機４０用の画像データのうちのＣＭＹＫ４色のプロセス色成分の値と、プリンタ６０ａ用の画像データのプロセス色成分の値との対応関係を示すプロファイルが予め用意されており、図２のプロセス色変換過程１０１では、このプロファイルが参照されて、ワークステーション２０からパーソナルコンピュータ５０に送られた印刷画像データのうちの、プロセス色版画像データ部分がプリンタ６０ａ用の画像データ成分であるプロセス画像データ成分に変換される。
【００３６】
さらに、パーソナルコンピュータ５０には、特色名と、その特色名で表される特色の濃度が１００％のときの色を再現するための、プリンタ６０ａ用のプロセス色成分で構成された画像データである特色ベタデータの値との対応関係を示すテーブルも用意されている。特色参照過程１０２では、印刷画像データの特色版画像データ部分に付された名称を基に、印刷機４０で使用される特色インクの特色名が認識され、上記のテーブルが参照されて、その特色名に対応する特色ベタデータが取得される。この特色ベタデータは、階調演算過程１０３で、ワークステーション２０からパーソナルコンピュータ５０に送られた印刷画像データのうちの特色版画像データ部分と掛け合わされて特色の濃度が調節され、プロセス色で特色を再現した特色再現画像データ成分が生成される。
【００３７】
加算部１０４では、プロセス色変換過程１０１で変換されたプロセス画像データ成分の値と、階調演算過程１０３で生成された特色再現画像データ成分の値とが加算されてプルーフ画像データが生成される。
【００３８】
次に、第２のデータ変換方法について説明する。この第２のデータ変換方法は、プリンタ６０ａが特色インクを使用することができず、さらに、プリンタ６０ａが複数の網点パターンによってインクを重ね合わせるプリンタである場合に用いられる方法である。この第２のデータ変換方法においても、印刷画像データが、プリンタ６０ａ用のプロセス色成分を表すプルーフ画像データに変換される。
【００３９】
図３は、第２のデータ変換方法を示す図である。図３には、図２に示す第１のデータ変換方法と同様に、プロセス色変換過程１１１、特色参照過程１１３、および階調演算過程１１４が示されており、さらに、プロセス色網がけ過程１１２と特色網がけ過程１１５が示されている。また、第１のデータ変換方法の加算部１０４に換わり、合成部１１６が示されている。
【００４０】
第１のデータ変換方法と同様に、プロセス色変換過程１１１で、印刷画像データのうちのプロセス色版画像データ部分がプリンタ６０ａ用の画像データであるプロセス画像データ成分に変換されると、プロセス色網がけ過程１１２で、プロセス画像データ成分に、各プロセス色ごとに所定の網点パターンを用いた網がけ処理が施される。
【００４１】
また、第１のデータ変換方法と同様に、特色参照過程１１３および階調演算過程１１４で特色再現画像データ成分が生成されると、特色網がけ過程１１５で、その特色再現画像データ成分に、特色再現画像データ成分が表す画像部分の色が印刷画像４１の特色になるべく近くなるような網点パターンを用いた網がけ処理が施される。
【００４２】
合成部１１６では、プロセス色毎に、網がけ処理後のプロセス画像データ成分が表す網点形状と、特色再現画像データ成分が表す網点形状とが合成されてプルーフ画像データが生成される。この第２の変換方法によると、プルーフ画像のうちの特色で構成された画像部分を、その画像部分の特色が印刷画像の特色になるべく近くなるように調整された網点パターンで表現することができるため、第１のデータ変換方法よりも、いっそう印刷画像４１の色に近い色を再現することができる。
【００４３】
次に、第３のデータ変換方法について説明する。この第３のデータ変換方法は、プリンタ６０ａが、特色インクを使用することができる場合に用いられる方法である。この第３のデータ変換方法においては、第１および第２の方法とは異なり、印刷画像データが、プリンタ６０ａ用のプロセス色成分を表すプロセス色画像データ成分と、特色成分を表す特色画像データ成分とからなるプルーフ画像データに変換される。
【００４４】
図４は、第３のデータ変換方法を示す図である。図４には、図３に示す第２のデータ変換方法と同様に、プロセス色変換過程１２１、プロセス色網がけ過程１２２、特色参照過程１２３、階調演算過程１２４、および特色網がけ過程１２５が示されているが、図２の加算部１０４や図３の合成部１１６に対応する部分は示されていない。
【００４５】
第２のデータ変換方法と同様に、印刷画像データのうちのプロセス色版画像データ部分が、プロセス色変換過程１２１およびプロセス色網がけ過程１２２で、網点がけ処理が施されたプリンタ６０ａ用のプロセス画像データ成分に変換される。
【００４６】
また、特色版画像データ部分については、特色参照過程１２３、階調演算過程１２４、および特色網がけ過程１２５で、網がけ処理が施されたプリンタ６０ａ用の特色画像データ成分に変換される。
【００４７】
第３の方法では、網がけ処理が施されたプリンタ６０ａ用のプロセス画像データ成分および特色画像データ成分は、加算されず、プロセス画像データ成分および特色画像データ成分からなるプルーフ画像データが生成される。この第３の方法では、印刷機４０で使用される特色インクと近い色の特色インクを使用することによって、第１および第２のデータ変換方法よりも、印刷画像４１の色に近い色を安定して再現することができる。
【００４８】
上記のようにプルーフ画像を作成して、そのプルーフ画像を確認することにより、印刷の仕上がりを事前に確認することができる。
【００４９】
ここで、図１に示す画像処理システムにおける、本発明の一実施形態としての特徴は、パーソナルコンピュータ５０の内部で実行される処理内容にあり、以下、このパーソナルコンピュータ５０について説明する。
【００５０】
図５は、図１のパーソナルコンピュータ５０の外観斜視図、図６はそのハードウェア構成図である。
【００５１】
このパーソナルコンピュータ５０は、外観構成上、本体装置５１、その本体装置５１からからの指示に応じて表示画面５２ａ上に画像を表示する画像表示装置５２、本体装置５１に、キー操作に応じた各種の情報を入力するキーボード５３、および、表示画面５２ａ上の任意の位置を指定することにより、その位置に表示された、例えばアイコン等に応じた指示を入力するマウス５４を備えている。この本体装置５１は、外観上、フレキシブルディスクを装填するためのフレキシブルディスク装填口５１ａ、およびＣＤ−ＲＯＭを装填するためのＣＤ−ＲＯＭ装填口５１ｂを有する。
【００５２】
本体装置５１の内部には、図６に示すように、各種プログラムを実行するＣＰＵ５１１、ハードディスク装置５１３に格納されたプログラムが読み出されＣＰＵ５１１での実行のために展開される主メモリ５１２、各種プログラムやデータ等が保存されたハードディスク装置５１３、フレキシブルディスク２００が装填され、そのフレキシブルディスク２００をアクセスするフレキシブルディスクドライブ５１４、ＣＤ−ＲＯＭ２１０をアクセスするＣＤ−ＲＯＭドライブ５１５、図１のワークステーション２０から画像データを受け取る入力インタフェース５１６、図１のプリンタ６０ａ、…、プリンタ６０ｎに画像データを送る出力インタフェース５１７ａ、…、出力インタフェース５１７ｎが内蔵されており、これらの各種要素と、さらに図５にも示す画像表示装置５２、キーボード５３、マウス５４は、バス５５を介して相互に接続されている。
【００５３】
ここで、ＣＤ−ＲＯＭ２１０には、このパーソナルコンピュータ５０を本発明の画像処理装置の一実施形態として動作させるための画像処理プログラムが記憶されており、そのＣＤ−ＲＯＭ２１０はＣＤ−ＲＯＭドライブ５１５に装填され、そのＣＤ−ＲＯＭ２１０に記憶された画像処理プログラムがこのパーソナルコンピュータ５０にアップロードされてハードディスク装置５１３に記憶される。こうしてパーソナルコンピュータ５０は本発明の画像処理装置の一実施形態である図８の画像処理装置６００（後述する）として動作する。
【００５４】
次に、このパーソナルコンピュータ５０内で実行される、画像処理プログラムについて説明する。
【００５５】
図７は、本発明の画像処理プログラムの一実施形態が記憶されたＣＤ−ＲＯＭ２１０を示す概念図である。
【００５６】
画像処理プログラム３１０は、画像データ取得部３１１と、画像データ変換部３１２と、付加画像データ生成部３１３と、画像データ出力部３１４とで構成されている。ここで、画像データ取得部３１１は本発明の画像処理プログラムにおける画像データ取得部、同様に、画像データ変換部３１２は画像データ変換部、付加画像データ生成部３１３は付加画像生成部、画像データ出力部３１４は画像データ出力部の一例にそれぞれ相当する。画像処理プログラム３１０の各部の詳細については、図８に示す本発明の画像処理装置の一実施形態である画像処理装置６００の各部の作用と一緒に説明する。
【００５７】
図８は、この画像処理プログラム３１０を図１のパーソナルコンピュータ５０にインストールし、パーソナルコンピュータ５０を本発明の画像処理装置の一実施形態として動作させるときの画像処理装置６００の機能ブロック図である。
【００５８】
図８に示す画像処理装置６００は、画像データ取得部６１０、画像データ変換部６２０、付加画像データ生成部６３０、および画像データ出力部６４０で構成されている。
【００５９】
画像処理プログラム３１０をパーソナルコンピュータ５０にインストールすると、図７の画像処理プログラム３１０の画像データ取得部３１１は図８の画像データ取得部６１０を構成し、画像データ変換部３１２は画像データ変換部６２０、付加画像データ生成部３１３は付加画像データ生成部６３０、画像データ出力部３１４は画像データ出力部６４０をそれぞれ構成する。
【００６０】
画像データ取得部６１０は、図１に示すワークステーション２０から、図６の入力インターフェース５１６を介して、プロセス色版画像データ部分および特色版画像データ部分とからなる印刷画像データを取得する。画像データ取得部６１０は、本発明の画像処理装置における画像データ取得部の一例に相当する。取得された印刷画像データは、画像データ変換部６２０に送られる。
【００６１】
画像データ変換部６２０は、図１に示すプリンタ６０ａにおける印刷画像４１の再現方式を踏まえ、上記で説明したデータ変換方法を用いて、画像データ取得部６１０から入力した印刷画像データをプルーフ画像データに変換する。ここでいう再現方式とは、特色を再現するのに使われるインクの種類や網点パターンの種類などがあたる。この再現方式は、本発明にいう印刷画像の再現方式の一例に相当し、画像データ変換部６２０は本発明の画像処理装置における画像データ変換部の一例に相当する。変換されたプルーフ画像データは、画像データ出力部６４０に送られる。
【００６２】
付加画像データ生成部６３０は、画像データ変換部６２０で前提とした印刷画像４１の再現方式のうちの、特色の再現方式を記述した付加画像を表す付加画像データを生成する。ここでいう特色の再現方式とは、特色を再現するのに使われるインクの種類、特色を構成するための網点パターンの種類などがあたる。この特色の再現方式は、本発明にいう特色の再現方式の一例に相当し、付加画像データ生成部６３０は本発明の画像処理装置における付加画像データ生成部の一例に相当する。生成された付加画像データは、画像データ出力部６４０に送られる。
【００６３】
画像データ出力部６４０は、画像データ変換部６２０から入力したプルーフ画像データと、付加画像データ生成部６３０から入力した付加画像データを図１のプリンタ６０ａに向けて出力する。画像データ出力部６４０は、本発明の画像処理装置における画像データ出力部の一例に相当する。
【００６４】
画像処理装置６００は、基本的には以上のように構成されているものであり、次に、この画像処理装置６００を用いて、図１に示す印刷画像４１のプルーフ画像６１を生成する手順について説明する。
【００６５】
まず、画像データ取得部６１０は、図１に示すワークステーション２０から、プロセス版画像を表すプロセス色版画像データ部分と、赤特色部分４１ｂを含む赤の特色版画像を表す赤特色版画像データ部分と、緑特色部分４１ｃを含む緑の特色版画像を表す緑特色版画像データ部分とからなる印刷画像データを取得する。このプロセス色版画像データ部分は本発明にいう第１の画像データ部分の一例にあたり、赤特色版画像データ部分および緑特色版画像データ部分は第２の画像データ部分の一例にあたる。また、印刷画像データは、本発明にいう印刷画像データの一例に相当する。取得された印刷画像データは、画像データ変換部６２０に出力される。
【００６６】
画像データ変換部６２０は、画像データ取得部６１０から印刷画像データが入力されると、図１のプリンタ６０ａにおける印刷画像４１の再現方式を前提として、印刷画像データをプルーフ画像データに変換する。例えば、プリンタ６０ａは網点パターンを用いてインクを重ね合わせるプリンタであり、プリンタ６０ａにおける印刷画像４１の再現方式は、
（１）赤の特色インクの色は、プロセスインクの組み合わせで再現する
（２）緑の特色インクの色は、プリンタ６０ａ用の緑色の特色インクを用いて再現する
（３）特色インクで特色を再現するときには、網点パターン１を用いてインクをのせる
（４）プロセスインクで特色を再現するときには、網点パターン２を用いてプロセスインクを重ね合わせる
（５）印刷のプロセス色を再現するときには、網点パターン１を用いてプロセスインクを重ね合わせる
という方式であるものとする。画像データ変換部６２０は、再現方式（１）および再現方式（４）を前提として、赤の特色インクで印刷される赤特色部分４１ｂに対応する赤特色版画像データ部分に上記で説明した第２のデータ変換方法を適用し、再現方式（２）および再現方式（３）を前提として、緑の特色インクで印刷される緑特色部分４１ｃに対応する緑特色版画像データ部分に第３のデータ変換方法を適用し、再現方式（５）を前提として、プロセス色版画像データ部分に第２のデータ変換方法を適用して、印刷画像データをプルーフ画像データに変換する。プルーフ画像データは、画像データ出力部６４０に送られる。
【００６７】
また、付加画像データ生成部６３０では、印刷画像の再現方式のうちの、特色の再現方式（再現方式（１）から再現方式（４））を記述した付加画像を表した付加画像データが生成される。生成された付加画像データは、画像データ出力部６４０に出力される。
【００６８】
画像データ出力部６４０は、画像データ変換部６２０および付加画像データ生成部６３０から入力したプルーフ画像データおよび付加画像データを、図６の出力インタフェース５１７ａを介して、図１のプリンタ６０ａに出力する。
【００６９】
プリンタ６０ａは、画像データ出力部からプルーフ画像データを入力し、そのプルーフ画像データを基にプルーフ画像を作成する。
【００７０】
図９は、プルーフ画像６１を示す図である。プルーフ画像６１は、印刷画像４１のプロセス色部分４１ａに対応するプロセス画像部分６１ａ、赤特色部分４１ｂに対応する赤特色画像部分６１ｂ、緑特色部分４１ｃに対応する緑特色画像部分６１ｃで構成されており、さらに付加画像６２が付加されている。プロセス画像部分６１ａはプロセスインクで構成されており、赤特色画像部分６１ｂはプロセスインクの組み合わせで、緑特色画像部分６１ｃは緑色の特色インクで構成されている。このプルーフ画像６１は、本発明にいうプルーフ画像の一例に相当する。ここで、プルーフ画像６１に使用されているインクの種類などについては、プルーフ画像６１だけをみても判別することは困難である。
【００７１】
図１０は、付加画像６２を示す図である。付加画像６２は、画像ＩＤ表示部６２ａ、インク種類表示部６２ｂ、および２つの網点パターン表示部６２ｃ、６２ｄで構成されている。画像ＩＤ表示部６２ａは、印刷画像４１の画像ＩＤを表している。この例では、印刷画像４１の画像ＩＤは１であることが判別できる。インク種類表示部６２ｂは、特色とその特色を表現するために使用されたインクの種類を表しており、特色の色票６２ｂ＿１およびインクの種類６２ｂ＿２で構成されている。この例では、赤の特色はｓｉｍｕｌａｔｉｏｎ（プロセスインクの組み合わせ）で、緑の特色はｉｎｋ（特色インク）で構成されていることが判別できる。２つの網点パターン表示部のうちの第１の網点パターン表示部６２ｃは、特色インクで特色を再現するときに用いられる網点パターンの種類を表しており、第２の網点パターン表示部６２ｄは、プロセスインクの組み合わせで特色を再現するときに用いられる網点パターンの種類を表している。この例では、特色インクを使用した緑特色画像部分６１ｃは網点パターン１、プロセスインクを使用した赤特色画像部分６１ｂは網点パターン２がそれぞれ用いられていることが判別できる。インク種類表示部６２ｂの色票６２ｂ＿１は、本発明にいう色票の一例にあたり、インクの種類６２ｂ＿２のｓｉｍｕｌａｔｉｏｎ、ｉｎｋの表示は、本発明にいうインクの種類の記述の一例に相当する。また、網点パターン表示部６２ｄの表示は、本発明にいう網点パターンの種類の記述の一例にあたる。このように、本実施形態の画像処理装置６００を用いて作成されたプルーフ画像６１は、付加画像６２を確認することによって、特色画像部分がどのように作成されたのかを容易に判別することができる。
【００７２】
以上で、本発明の第１実施形態の説明を終了し、次に、本発明の第２実施形態の画像処理装置について説明する。この第２実施形態は、図８に示す第１実施形態の構成と同様な構成を有するが、作成される付加画像の形態が相違している。以下では、第１実施形態との相違点に注目して説明する。
【００７３】
第１実施形態と同様に、画像データ取得部は、図１に示すワークステーション２０から印刷画像データを取得し、その印刷画像データを画像データ変換部に送る。
【００７４】
画像データ変換部でも、第１実施形態と同様に、印刷画像４１の再現方式を前提として、印刷画像データがプルーフ画像データに変換され、プルーフ画像データは画像データ出力部に送られる。
【００７５】
また、付加画像データ生成部では、第１実施形態と同様に、特色の再現方式を記述した付加画像を表した付加画像データを生成するが、その付加画像は第１実施形態の付加画像データ生成部６３０が生成した付加画像データが表す付加画像とは形態が異なる。
【００７６】
図１１は、本実施形態の付加画像データ生成部で生成された付加画像データが表す付加画像を示す図である。
【００７７】
付加画像７２は、画像ＩＤ表示部７２ａ、インク種類表示部７２ｂ、第１の網点パターン表示部７２ｃおよび第２の網点パターン表示部７２ｄで構成されている。図１０に示す第１実施形態の付加画像６２のインク種類表示部６２ｂでは、特色の色票６２ｂ＿１とインクの種類６２ｂ＿２が対応付けられていたが、付加画像７２のインク種類表示部７２ｂでは、特色の色名７２ｂ＿１とインクの種類７２ｂ＿２が対応付けられている。インク種類表示部７２ｂの色名７２ｂ＿１は、本発明にいう色名の一例にあたる。
【００７８】
付加画像データ生成部で生成された付加画像データは画像データ出力部に送られ、画像データ出力部で、第１実施形態と同様に、プルーフ画像データおよび付加画像データが図１のプリンタ６０ａに出力される。
【００７９】
このように、本発明にいう付加画像データ生成部は、特色の色名と、インクの種類などの再現方式が対応付けらた付加画像を表す付加画像データを生成するものであってもよい。
【００８０】
ここで、上記では、特色の再現方式のみを記述した付加画像を作成する画像処理装置について説明したが、本発明の画像処理装置は、例えば、プルーフ画像のうちのプロセス色の画像部分に用いられる網点パターンなど、プロセス色の再現方式もあわせて記述した付加画像を作成するものであってもよい。
【００８１】
また、上記では、特色の色票と再現方式、あるいは特色の色名と再現方式とを対応付けた付加画像を作成する画像処理装置について説明したが、本発明の画像処理装置は、再現方式のみを記述した付加画像を作成するものであってもよい。
【００８２】
また、上記では、印刷に用いられる特色の数だけ存在する、１次元の特色版画像データ部分を用いて説明したが、例えば、特色の数と同じ次元の画像データ部分が１つ存在する特色版画像データ部分を用いるものであってもよい。
【００８３】
さらに、上記では、付加画像が付加されたプルーフ画像を作成する画像処理装置について説明したが、本発明の画像処理装置は、付加画像はプルーフ画像とは別に作成されるものであってもよい。
【００８４】
【発明の効果】
以上、説明したように、本発明によれば、プルーフ画像のうちの特色の画像部分が、どのように作成されたのかを容易に判別することができる画像処理装置を提供することができる。
【図面の簡単な説明】
【図１】本発明の一実施形態が適用された画像処理システムの全体構成図である。
【図２】第１のデータ変換方法を示す図である。
【図３】第２のデータ変換方法を示す図である。
【図４】第３のデータ変換方法を示す図である。
【図５】パーソナルコンピュータ５０の外観斜視図である。
【図６】パーソナルコンピュータ５０のハードウェア構成図である。
【図７】本発明の画像処理プログラムの一実施形態が記憶されたＣＤ−ＲＯＭ２１０を示す概念図である。
【図８】画像処理装置６００の機能ブロック図である。
【図９】プルーフ画像６１を示す図である。
【図１０】付加画像６２を示す図である。
【図１１】付加画像７２を示す図である。
【符号の説明】
１０　　カラースキャナ
２０　　ワークステーション
３０　　フィルムプリンタ
４０　　印刷機
４１　　印刷画像
４１ａ　　プロセス色部分
４１ｂ　　赤特色部分
４１ｃ　　緑特色部分
５０　　パーソナルコンピュータ
５１　　本体装置
５２　　画像表示装置
５２ａ　　表示画面
５３　　キーボード
５４　　マウス
５５　　バス
５１ａ　　フレキシブルディスク装填口
５１ｂ　　ＣＤ−ＲＯＭ装填口
５１１　　ＣＰＵ
５１２　　主メモリ
５１３　　ハードディスク装置
５１４　　フレキシブルディスクドライブ
５１５　　ＣＤ−ＲＯＭドライブ
５１６　　入力インタフェース
５１７ａ　　出力インタフェース
…
５１７ｎ　　出力インタフェース
６０ａ　　プリンタ
６０ｂ　　プリンタ
…
６０ｎ　　プリンタ
６１　　プルーフ画像
６１ａ　　プロセス色画像部分
６１ｂ　　赤特色画像部分
６１ｃ　　緑特色画像部分
６２　　付加画像
６２ａ　　画像ＩＤ表示部
６２ｂ　　インク種類表示部
６２ｂ＿１　　色票
６２ｂ＿２　　インクの種類
６２ｃ　　第１の網点パターン表示部
６２ｄ　　第２の網点パターン表示部
７２　　付加画像
７２ａ　　画像ＩＤ表示部
７２ｂ　　インク種類表示部
７２ｂ＿１　　色名
７２ｂ＿２　　インクの種類
７２ｃ　　第１の網点パターン表示部
７２ｄ　　第２の網点パターン表示部
１０１　　プロセス色変換過程
１０２　　特色参照過程
１０３　　階調演算過程
１０４　　加算部
１１１　　プロセス色変換過程
１１２　　プロセス色網がけ過程
１１３　　特色参照過程
１１４　　階調演算過程
１１５　　特色網がけ過程
１１６　　合成部
１２１　　プロセス色変換過程
１２２　　プロセス色網がけ過程
１２３　　特色参照過程
１２４　　階調演算過程
１２５　　特色網がけ過程
２００　　フレキシブルディスク
２１０　　ＣＤ−ＲＯＭ
３１０　　画像処理プログラム
３１１　　画像データ取得部
３１２　　画像データ変換部
３１３　　付加画像データ生成部
３１４　　画像データ出力部
６００　　画像処理装置
６１０　　画像データ取得部
６２０　　画像データ変換部
６３０　　付加画像データ生成部
６４０　　画像データ出力部
【図１】
2004074498.tif 000003
【図２】
2004074498.tif 000004
【図３】
2004074498.tif 000005
【図４】
2004074498.tif 000006
【図５】
2004074498.tif 000007
【図６】
2004074498.tif 000008
【図７】
2004074498.tif 000009
【図８】
2004074498.tif 000010
【図９】
2004074498.tif 000011
【図１０】
2004074498.tif 000012
【図１１】
2004074498.tif 000013